(57)【特許請求の範囲】
【請求項１】
冷蔵庫の収容室の前面開口に引出し可能に設けられた引出扉と、
前記引出扉を引き出すための引出機構と、
左右方向を軸方向とする回動軸周りに前記引出扉を回動させるための回動機構と、
前記引出扉の引出動作に連動して前記収容室の前記前面開口から少なくとも一部が前方側に引き出される収容ケースと、
前記引出扉の回動動作に応じて前記収容ケースを前後方向に移動させる収容ケース移動機構と、を備え、
前記引出機構は、前記引出扉の後面の左右のそれぞれに前端側が取り付けられるとともに、前記引出扉を前記回動軸周りに回動可能に支持する一対のフレームと、前記収容室の左側内壁面および右側内壁面のそれぞれに前後方向に延在するように固定されるとともに、前記一対のフレームを前後方向にスライド移動可能に保持する一対の引出レールと、を含み、
前記収容ケース移動機構は、前方側へ向けて前記引出扉が回動する際に、前記収容ケースを前方側に向けて押し出し、
前記回動機構は、前記一対のフレームの前端側のそれぞれに前記引出扉を回動可能に接続する接続部を含み、
前記接続部は、左右方向に対向する前記一対のフレームの内側面から左右方向内側に突出するとともに、前記引出扉の回動動作に応じて前後方向に回動する係合部を含み、
前記収容ケースは、前記一対のフレームに載置された状態において前記係合部に係合する被係合部を含み、
前記被係合部は、前記収容ケースが上方に向けて取り外し可能に前記係合部に係合し、
前記収容ケース移動機構は、前記係合部と前記被係合部とによって構成され、
前記引出扉が回動する際に、前記係合部が前記被係合部を前記引出扉の回動方向に押し出す、冷蔵庫の引出装置。
【請求項２】
冷蔵庫の収容室の前面開口に引出し可能に設けられた引出扉と、
前記引出扉を引き出すための引出機構と、
左右方向を軸方向とする回動軸周りに前記引出扉を回動させるための回動機構と、
前記引出扉の引出動作に連動して前記収容室の前記前面開口から少なくとも一部が前方側に引き出される収容ケースと、
前記引出扉の回動動作に応じて前記収容ケースを前後方向に移動させる収容ケース移動機構と、を備え、
前記引出機構は、前記引出扉の後面の左右のそれぞれに前端側が取り付けられるとともに、前記引出扉を前記回動軸周りに回動可能に支持する一対のフレームと、前記収容室の左側内壁面および右側内壁面のそれぞれに前後方向に延在するように固定されるとともに、前記一対のフレームを前後方向にスライド移動可能に保持する一対の引出レールと、を含み、
前記収容ケース移動機構は、前方側へ向けて前記引出扉が回動する際に、前記収容ケースを前方側に向けて押し出し、
前記回動機構は、前記引出扉の回動範囲を制限する回動範囲制限部を含み、
前記回動範囲制限部は、左右方向に延在するとともに、左右方向を軸方向とする軸周りに回動可能なシャフトと、前記引出扉の回動に連動して回動力を前記シャフトに伝達する回動力伝達部と、前記左側内壁面および前記右側内壁面のそれぞれに前記シャフトに当接可能に設けられた一対の当接部と、を有し、
前記シャフトが前記当接部に当接して前記シャフトの回動が規制されることにより、前記引出扉の前方側への回動が規制される、冷蔵庫の引出装置。
【請求項３】
前記収容室の前記左側内壁面および前記右側内壁面のそれぞれに前後方向に延在するように固定され、上下方向における前記シャフトの移動範囲を制限する一対のシャフト移動範囲制限部をさらに備え、
前記一対のシャフト移動範囲制限部のそれぞれは、前記シャフトの左側端部または右側端部が間に位置するように設けられた上側プレート部と下側プレート部とを含み、
前記当接部は、前記下側プレート部によって構成され、
前記シャフトは、前記引出扉が回動していない状態において前記シャフトの回動軸よりも上方に位置し、
前記シャフトが前方側へ回動して前記下側プレート部に当接することにより、前記引出扉の前方側への回動が規制される、請求項２に記載の冷蔵庫の引出装置。
【請求項４】
前記引出扉の後面に設けられた収納ポケットをさらに備え、
前記収納ポケットは、前記引出扉の回動の際に前記収容ケースに干渉しない位置に設けられている、請求項１から３のいずれか１項に記載の冷蔵庫の引出装置。
【発明の詳細な説明】
【技術分野】
【０００１】
本発明は、冷蔵庫の引出装置に関する。
【背景技術】
【０００２】
冷蔵庫の引出装置が開示された文献として、たとえば、特開２００６−３８２４６号公報（特許文献１）、特開２００６−２９６１９号公報（特許文献２）等が挙げられる。
【０００３】
特許文献１および特許文献２に開示の冷蔵庫の引出装置にあっては、冷蔵庫室内に設けられたレール部材によって扉が前後方向に移動可能に設けられ、レール部材が貯蔵室に固定された固定レールと、移動レールと、これらの間に設けられた中間走行レールとを含む。中間走行レールと移動レールとを備えることにより、扉が多段階に引き出されることとなり、扉の移動量を大きくすることができる。
【先行技術文献】
【特許文献】
【０００４】
【特許文献１】特開２００６−３８２４６号公報
【特許文献２】特開２００６−２９６１９号公報
【発明の概要】
【発明が解決しようとする課題】
【０００５】
しかしながら、特許文献１および特許文献２に開示の冷蔵庫の引出装置にあっては、固定レールに対して複数のレールが引き出される構成とし、扉がより前方側に引き出されることにより、扉を支持するレール部材に掛かる負荷が大きくなる。このため、固定レールが取り付けられる冷蔵庫の筐体側に補強部材を設けたり、レール部材と扉支持部材の幅等を調整したりして、レール部材の強度を強くする構成が必要となる。
【０００６】
本発明は、上記のような問題に鑑みてなされたものであり、本発明の目的は、複数のレールを用いて引出扉を多段階で引き出すことなく、扉を回動させることによって収容ケースをさらに前方側に引き出すことができる、冷蔵庫の引出装置を提供することにある。
【課題を解決するための手段】
【０００７】
本発明に基づく冷蔵庫の引出装置は、冷蔵庫の収容室の前面開口に引出し可能に設けられた引出扉と、上記引出扉を引き出すための引出機構と、左右方向を軸方向とする回動軸周りに上記引出扉を回動させるための回動機構と、上記引出扉の引出動作に連動して上記収容室の上記前面開口から少なくとも一部が前方側に引き出される収容ケースと、上記引出扉の回動動作に応じて上記収容ケースを前後方向に移動させる収容ケース移動機構と、を備え、上記引出機構は、上記引出扉の後面の左右のそれぞれに前端側が取り付けられるとともに、上記引出扉を上記回動軸周りに回動可能に支持する一対のフレームと、上記収容室の左側内壁面および右側内壁面のそれぞれに前後方向に延在するように固定されるとともに、上記一対のフレームを前後方向にスライド移動可能に保持する一対の引出レールと、を含み、上記収容ケース移動機構は、前方側へ向けて上記引出扉が回動する際に、上記収容ケースを前方側に向けて押し出す。
【０００８】
上記本発明に基づく冷蔵庫の引出装置にあっては、上記収容ケースは、上記一対のフレームに載置され、上記引出扉の引出動作および回動動作が完了した状態において、上記一対のフレームに対して着脱可能となることが好ましい。
【０００９】
上記本発明に基づく冷蔵庫の引出装置にあっては、上記回動機構は、上記一対のフレームの前端側のそれぞれに上記引出扉を回動可能に接続する接続部を含むことが好ましい。この場合には、上記接続部は、左右方向に対向する上記一対のフレームの内側面から左右方向内側に突出するとともに、上記引出扉の回動動作に応じて前後方向に回動する係合部を含むことが好ましく、上記収容ケースは、上記一対のフレームに載置された状態において、上記係合部に係合する被係合部を含むことが好ましい。さらに、上記収容ケース移動機構は、上記係合部と上記被係合部とによって構成されることが好ましく、上記引出扉が回動する際に、上記係合部が上記被係合部を上記引出扉の回動方向に押し出すことが好ましい。
【００１０】
上記本発明に基づく冷蔵庫の引出装置にあっては、上記回動機構は、上記引出扉の回動範囲を制限する回動範囲制限部を含むことが好ましい。この場合には、上記回動範囲制限部は、左右方向に延在するとともに、左右方向を軸方向とする軸周りに回動可能なシャフトと、上記引出扉の回動に連動して回動力を上記シャフトに伝達する回動力伝達部と、上記左側内壁面および上記右側内壁面のそれぞれに上記シャフトに当接可能に設けられた一対の当接部と、を有することが好ましい。さらに、上記シャフトが上記当接部に当接して上記シャフトの回動が規制されることにより、上記引出扉の前方側への回動が規制されることが好ましい。
【００１１】
上記本発明に基づく冷蔵庫の引出装置にあっては、上記シャフトは、上記収容ケースよりも後方に位置し、上記一対のフレームの後端側において回動可能に取り付けられていることが好ましい。
【００１２】
上記本発明に基づく冷蔵庫の引出装置にあっては、上記収容室の上記左側内壁面および上記右側内壁面のそれぞれに前後方向に延在するように固定され、上下方向における上記シャフトの移動範囲を制限する一対のシャフト移動範囲制限部をさらに備えることが好ましい。この場合には、上記一対のシャフト移動範囲制限部のそれぞれは、上記シャフトの左側端部または右側端部が間に位置するように設けられた上側プレート部と下側プレート部とを含むことが好ましい。また、上記当接部は、上記下側プレート部によって構成されることが好ましい。さらに、この場合には、上記シャフトは、上記引出扉が回動していない状態において上記シャフトの回動軸よりも上方に位置することが好ましく、上記シャフトが前方側へ回動して上記下側プレート部に当接することにより、上記引出扉の前方側への回動が規制されることが好ましい。
【００１３】
上記本発明に基づく冷蔵庫の引出装置にあっては、上記一対のシャフト移動範囲制限部は、前方側に位置する前方側領域と、後方側に位置する後方側領域と、上記前方側領域と上記後方側領域との間に位置する中間領域とを有することが好ましい。この場合には、上記上側プレート部は、上記後方側領域から上記前方側領域に亘って前後方向に直線状に延在していてもよく、上記下側プレート部は、上記後方側領域において前後方向に直線状に延在し、上記中間領域において前方に向かうにつれて上下方向における上記上側プレート部との間隔が大きくなるように傾斜し、上記前方側領域において上記後方側領域よりも下方で前後方向に直線状に延在していてもよい。さらに、この場合には、上記後方側領域において上記シャフトの回動が規制され、上記中間領域と上記前方側領域において上記シャフトの回動が許容されることが好ましい。
【００１４】
上記本発明に基づく冷蔵庫の引出装置にあっては、上記一対のシャフト移動範囲制限部は、前方側に位置する前方側領域と、後方側に位置し、上記前方側領域よりも上方に位置する後方側領域と、上記前方側領域と上記後方側領域との間に位置する中間領域とを有することが好ましい。この場合には、上記上側プレート部および上記下側プレート部は、上記後方側領域から上記前方側領域にかけて略一定の距離を保った状態で互いに並行して延在していてもよい。さらに、この場合には、上記前方側領域および上記後方側領域において上記シャフトの回動が規制され、上記中間領域において、上記シャフトの回動を案内する回動案内部が設けられていることが好ましい。
【００１５】
上記本発明に基づく冷蔵庫の引出装置は、上記引出扉の後面に設けられた収納ポケットをさらに備えていてもよい。この場合には、上記収納ポケットは、上記引出扉の回動の際に上記収容ケースに干渉しない位置に設けられていることが好ましい。
【００１６】
上記本発明に基づく冷蔵庫の引出装置にあっては、上記収納ポケットは、上記引出扉が引き出されていない状態において、上記収容ケースの上方に位置し、上記引出扉の前方側への回動が規制された状態において、上記収容ケースの前方側に位置することが好ましい。
【発明の効果】
【００１７】
本発明によれば、複数のレールを用いて引出扉を多段階で引き出すことなく、扉を回動させることによって収容ケースをさらに前方側に引き出すことができる、冷蔵庫の引出装置を提供することができる。
【図面の簡単な説明】
【００１８】
【図１】実施の形態１に係る冷蔵庫の概略斜視図である。
【図２】実施の形態１に係る冷蔵庫の引出装置を示す冷蔵庫の部分斜視図である。
【図３】実施の形態１に係る冷蔵庫の引出装置の引出扉側に位置する構成要素の分解斜視図である。
【図４】実施の形態１に係る引出扉の回動動作が終了した状態における引出扉、および引出扉側に設けられた引出機構ならびに回動機構を示す斜視図である。
【図５】実施の形態１に係る引出扉が回動する前の状態における引出扉側に設けられた冷蔵庫の引出装置の構成要素を示す斜視図である。
【図６】実施の形態１に係る引出扉が回動した後の状態における引出扉側に設けられた冷蔵庫の引出装置の構成要素を示す斜視図である。
【図７】実施の形態１に係る冷蔵庫室内側に設けられた冷蔵庫の引出装置の構成要素を示す部分斜視図である。
【図８】実施の形態１に係る冷蔵庫において、引出扉が引き出される前の状態を示す断面図である。
【図９】実施の形態１に係る冷蔵庫において、引出扉の引出動作のみが終了した状態を示す断面図である。
【図１０】実施の形態１に係る冷蔵庫において、引出扉の引出動作と回動動作とが終了した状態を示す断面図である。
【図１１】実施の形態２に係る引出扉が回動する前の状態における引出扉側に設けられた冷蔵庫の引出装置の構成要素を示す斜視図である。
【図１２】実施の形態２に係る引出扉が回動した後の状態における引出扉側に設けられた冷蔵庫の引出装置の構成要素を示す斜視図である。
【図１３】実施の形態２に係る冷蔵庫の引出装置において、引出扉が引き出される前の状態を示す断面図である。
【図１４】実施の形態２に係る冷蔵庫の引出装置において、引出扉の引出動作と回動動作とが終了した状態を示す断面図である。
【図１５】実施の形態３に係る冷蔵庫の引出装置において、冷蔵庫室内側に設けられた構成要素を示す部分断面図である。
【図１６】実施の形態３に係る冷蔵庫において、引出扉が引き出される前の状態を示す断面図である。
【図１７】実施の形態３に係る冷蔵庫において、引出扉の引出動作の途中状態を示す断面図である。
【図１８】実施の形態３に係る冷蔵庫において、引出扉の引出動作と回動動作とが終了した状態を示す断面図である。
【発明を実施するための形態】
【００１９】
以下、本発明の実施の形態について、図を参照して詳細に説明する。なお、以下に示す実施の形態においては、同一のまたは共通する部分について図中同一の符号を付し、その説明は繰り返さない。
【００２０】
（実施の形態１）
図１は、本実施の形態に係る冷蔵庫の概略斜視図である。図２は、本実施の形態に係る冷蔵庫の引出装置を示す冷蔵庫の部分斜視図である。図１および図２を参照して、本実施の形態に係る冷蔵庫１について説明する。
【００２１】
図１および図２に示すように、本実施の形態に係る冷蔵庫１は、複数の貯蔵室を有する断熱箱体２と、各収容室を開閉するための扉３および引出扉４，５とを備える。断熱箱体２は、外箱と内箱とこれらの間に充填された断熱材とによって構成されている。
【００２２】
断熱箱体２内は、仕切部７によって、上下方向（図中Ｚ軸方向）に並ぶ複数の貯蔵室に区画される。たとえば、複数の収容室とは、上から順に、冷蔵室、野菜室、冷凍室である。なお、貯蔵室の種類、数、配置はこれに限定されない。
【００２３】
扉３は、左右方向（図中Ｘ軸方向）の一端側において、上下方向に延在する回転軸周りに回転可能に設けられている。引出扉４，５は、前後方向（Ｙ軸方向）に引出可能に構成されている。さらに、引出扉４は、下端側において、左右方向に延在する回動軸周りに回動可能に構成されている。引出扉４は、後述する引出装置１００の一部を構成する。なお、引出扉５は、左右方向に延在する軸周りに回動可能に構成されていてもよいし、回動不能に構成されていてもよい。
【００２４】
冷蔵庫１は、さらに図示しない冷却回路、制御装置等を備える。冷却回路によって生成された冷気が、複数の貯蔵室を循環することにより、複数の貯蔵室が所定の温度に保たれる。
【００２５】
図２に示すように、冷蔵庫１は、引出装置１００を備える。引出装置１００は、引出扉４、収容ケース１０（図３参照）、引出機構２０、回動機構５０（図３参照）、および収容ケース移動機構７０（図３参照）を備える。
【００２６】
引出扉４は、冷蔵庫１の収容室６の前面開口６ａに引出可能に設けられている。収容室６は、断熱箱体２の左側内壁面６ｃと、右側内壁面６ｄと、後方側壁部６ｂと、仕切部７とによって規定され、前面側に開放されている。
【００２７】
引出機構２０は、引出扉４を引き出すためのものである。回動機構５０は、左右方向を軸方向とする回動軸周りに引出扉４を回動させるためのものである。収容ケース移動機構７０は、引出扉４の回動動作に応じて収容ケース１０を前後方向に移動させるものである。収容ケース１０は、貯蔵物を収容するケースである。なお、引出装置１００の各構成要素の詳細な構成については、図３から図７を用いて後述する。
【００２８】
図３は、本実施の形態に係る冷蔵庫の引出装置の引出扉側に位置する構成要素の分解斜視図である。図４は、本実施の形態に係る引出扉の回動動作が終了した状態における引出扉、および引出扉側に設けられた引出機構ならびに回動機構を示す斜視図である。図３および図４を参照して、引出装置１００の引出扉４側に設けられた各構成要素について説明する。
【００２９】
図３，４に示すように、収容ケース１０は、上方に向けて開口する箱側形状を有する。収容ケース１０の左右方向の両側壁部には、上下方向に延在する溝部１２が設けられている。溝部１２は、前方側に設けられている。溝部１２は、下端に達するように設けられている。溝部１２には、後述するピン１６の先端が入り込む。
【００３０】
収容ケース１０の左右方向の両側壁部には、外側に突出するフランジ部１３が設けられている。フランジ部１３は、前後方向に延在するように設けられている。フランジ部１３は、後述する一対のフレーム２１の上端に設けられた上端側平坦部２２に載置される部位である。
【００３１】
引出機構２０は、一対のフレーム２１と、後述する一対の引出レール２８（図７参照）とを含む。一対のフレーム２１は、前後方向に延在するように設けられている。一対のフレーム２１は、引出扉４の後面４ｂの左右のそれぞれに前端２１ａ側が取り付けられる。一対のフレーム２１は、引出扉４を左右方向に延在する回動軸周りに回動可能に支持する。一対のフレーム２１は、前後方向にスライド移動可能に一対の引出レール２８に支持される。
【００３２】
一対のフレーム２１は、上端側に設けられた上端側平坦部２２と、下端側に設けられた下端側平坦部２３と、上端側平坦部２２と下端側平坦部２３とを接続するプレート部２４と、後端２１ｂ側にそれぞれ取り付けられた一対の可動ローラ２５を含む。
【００３３】
上端側平坦部２２は、プレート部２４の上端側から外側に折れ曲がるように設けられている。上端側平坦部２２の下面は、後述するキャビネットローラ２９（図７参照）に当接する。下端側平坦部２３は、プレート部２４の下端側から外側に折れ曲がるように設けられている。
【００３４】
プレート部２４の前方側は、下端側平坦部２３よりも下方に突出する部分を含む。当該下方に突出する部分は、後述する接続部３０の第２プレート部３３に固定ピン１５を介して固定される。
【００３５】
プレート部２４の前方側には、略円弧形状の案内穴２７が設けられている。案内穴２７は、上方に向かうにつれて前方へ湾曲する。案内穴２７は、後述するピン１６の移動を案内する。一対の可動ローラ２５は、一対の引出レール２８（図７参照）上を転動する。
【００３６】
一対の引出レール２８は、収容室６の左側内壁面６ｃおよび右側内壁面６ｄのそれぞれに前後方向に延在するように設けられる。一対の引出レール２８は、一対の可動ローラ２５をそれぞれ転動可能に支持する。
【００３７】
回動機構５０は、接続部３０および回動範囲制限部４０を含む。接続部３０は、一対のフレーム２１の前端側のそれぞれに引出扉４を回動可能に接続する。接続部３０は、略Ｌ字形状を有する接続プレート３１を有する。
【００３８】
接続プレート３１は、引出扉４の後面４ｂに略平行な第１プレート部３２と、第１プレート部３２の外側端部側から後方に向けて突出する第２プレート部３３とを有する。第１プレート部３２は、引出扉４の後面４ｂにビス等で固定される。
【００３９】
第２プレート部３３は、固定ピン１５によってプレート部２４に対して回動可能に固定される。第２プレート部３３は、固定ピン１５を回動中心として前後方向に回動可能に設けられている。第２プレート部３３が回動する際に、上記ピン１６が案内穴２７に沿って移動する。
【００４０】
回動範囲制限部４０は、一対のシャフト支持部４１、シャフト４２、および一対の回動力伝達部４３を有する。シャフト４２は、左右方向に延在する。シャフト４２は、左右方向を軸方向とする軸周りに回動可能に構成されている。
【００４１】
一対のシャフト支持部４１は、それぞれ板状形状を有する。一対のシャフト支持部４１は、シャフト４２を支持する。具体的には、一対のシャフト支持部４１の上端側に設けられた挿通孔にシャフト４２が挿通されて固定される。
【００４２】
一対のシャフト支持部４１の下端側は、ピン１７によって一対のフレーム２１の後端２１ｂ側に固定される。一対のシャフト支持部４１は、一対のフレーム２１に対して回動可能に固定される。一対のシャフト支持部４１は、ピン１７を回動中心として前後方向に回動可能に設けられる。
【００４３】
一対のシャフト支持部４１が前後方向に回動することにより、一対のシャフト支持部４１の上端側に支持されるシャフト４２が、左右方向を軸方向とする軸周りに（前後方向に）回動する。
【００４４】
一対の回動力伝達部４３は、引出扉４の回動に連動して回動力をシャフト４２に伝達する。一対の回動力伝達部４３は、略Ｌ字形状を有する。一対の回動力伝達部４３は、後端側が上方に向かうように設けられている。
【００４５】
一対の回動力伝達部４３の前端側は、ピン１６によって接続プレート３１の第２プレート部３３に接続される。一対の回動力伝達部４３の後端側は、一対のシャフト支持部４１の上端側に接続される。
【００４６】
引出扉４が前方側へ回動して、接続プレート３１が前方側に回動した場合には、接続プレート３１に接続される一対の回動力伝達部４３も前方側に引っ張られる。これにより、一対の回動力伝達部４３に接続される一対のシャフト支持部４１も前方側に引っ張られる。
【００４７】
一対のシャフト支持部４１は、前方側に引っ張られることにより、下端側のピン１７を回転中心として、上端側が前方側に向かうように回動する。これに伴ってシャフト４２が一対のシャフト支持部４１と一体に回動する。シャフト４２は、一対のシャフト支持部４１の回動中心を通り、左右方向に延在する回動軸周りに回動する。
【００４８】
このように、回動力伝達部４３が引出扉４の回動に連動してシャフト４２を回動させる回動力を伝達することにより、シャフト４２が前後方向に回動する。なお、シャフト４２は、引出扉４が回動していない状態においては、シャフト４２の上記回動軸よりも上方に位置する。
【００４９】
図５および図６は、本実施の形態に係る引出扉が回動する前の状態および引出扉が回動した後の状態における引出扉側に設けられた冷蔵庫の引出装置の構成要素を示す斜視図である。図５および図６を参照して、引出扉４の回動動作に伴う収容ケース１０の動きについて説明する。
【００５０】
図５および図６に示すように、シャフト４２は、収容ケース１０よりも後方に位置し、一対のフレーム２１の後端２１ｂ側において回動可能に取り付けられている。シャフト４２は、上述のように、引出扉４の回動動作に連動して、引出扉４の回動方向に回動する。
【００５１】
図５に示すように、引出扉４が回動する前の状態においては、ピン１６は、案内穴２７の後端側に位置する。ピン１６は、一対のフレーム２１のプレート部２４および接続プレート３１の第２プレート部３３を貫通するように設けられる。ピン１６は、一対のフレーム２１の内側に位置する一対の回動力伝達部４３を第２プレート部３３に固定する。
【００５２】
ピン１６は、左右方向に対向する一対のフレーム２１の内側面から左右方向の内側に突出する。ピン１６は、収容ケース１０の溝部１２内に入り込んでいる。ピン１６は、溝部１２の下端側に位置する。
【００５３】
図６に示すように、引出扉４が回動した後の状態においては、ピン１６は、案内穴２７の前端側に位置する。ピン１６は、収容ケース１０の溝部１２内に入り込んでいる。ピン１６は、溝部１２の上端側に位置する。
【００５４】
図５および図６に示すように、引出扉４の回動に連動して、接続プレート３１が、ピン１５を回動中心として、引出扉４の回動方向に回動する。引出扉４の前方側への回動に連動して接続プレート３１が前方側へ回動することにより、ピン１６がプレート部２４に設けられた案内穴２７に沿って前方側へ移動する。
【００５５】
この際、ピン１６は、収容ケース１０の溝部１２内を上方に向けて移動しつつ、溝部１２の前端側を前方に向けて押し出す。これにより、収容ケース１０が一対のフレーム２１に載置された状態で前方に移動する。このように、ピン１６および収容ケース１０の溝部１２は、引出扉４の回動動作に応じて収容ケース１０を前後方向に移動させる収容ケース移動機構を構成する。
【００５６】
また、収容ケース１０のフランジ部１３を一対のフレーム２１の上端側平坦部２２に載置する際に、ピン１６の上方側から溝部１２がピン１６に嵌り込む。収容ケース１０が一対のフレーム２１に載置された状態から収容ケース１０を上方側に持ち上げることにより、ピン１６が溝部１２から抜けて、収容ケース１０が一対のフレーム２１から取り外される。このように、ピン１６は、係合部に該当し、溝部１２は、ピン１６に着脱可能に係合する被係合部に相当する。
【００５７】
回動可能に設けられたピン１６と溝部１２とによって収容ケース移動機構を構成することにより、収容ケース移動機構を簡素化することができる。
【００５８】
図７は、本実施の形態に係る冷蔵庫室内側に設けられた冷蔵庫の引出装置の構成要素を示す部分斜視図である。図７を参照して、引出装置１００の冷蔵庫室内側に設けられた構成要素について説明する。
【００５９】
図７に示すように、冷蔵庫の収容室６の左側内壁面６ｃおよび右側内壁面６ｄには、一対の引出レール２８、一対のキャビネットローラ２９、および一対のシャフト移動範囲制限部４５が設けられている。
【００６０】
一対の引出レール２８は、上述のように、一対のフレーム２１を前後方向にスライド移動可能に保持する。一対のキャビネットローラ２９は、上述のように、一対のフレーム２１の上端側平坦部２２を支持する。一対のキャビネットローラ２９は、回転可能に設けられている。これにより、一対のフレーム２１の前後方向の移動が容易に行なわれる。
【００６１】
一対のシャフト移動範囲制限部４５は、上下方向におけるシャフト４２の移動範囲を制限する。一対のシャフト移動範囲制限部４５は、前後方向に延在するように設けられている。
【００６２】
一対のシャフト移動範囲制限部４５は、前方側に位置する前方側領域４５ａと、後方側に位置する後方側領域４５ｃと、前方側領域４５ａと後方側領域４５ｃとの間に位置する中間領域４５ｂとを有する。一対のシャフト移動範囲制限部４５のそれぞれは、上側プレート部４６および当接部としての下側プレート部４７を含む。
【００６３】
上側プレート部４６および下側プレート部４７は、シャフト４２の左側端部または右側端部が間に位置するように設けられる。上側プレート部４６は、後方側領域４５ｃから前方側領域４５ａに亘って前後方向に直線状に延在する。
【００６４】
下側プレート部４７は、後方側領域４５ｃにおいて前後方向に直線状に延在する。下側プレート部４７は、中間領域４５ｂにおいて前方に向かうにつれて上下方向における上側プレート部４６との間隔Ｗが大きくなるように傾斜する。下側プレート部４７は、前方側領域４５ａにおいて後方側領域４５ｃよりも下方で前後方向に直線状に延在する。
【００６５】
後方側領域４５ｃにおいては、上側プレート部４６と下側プレート部４７との上下方向の間隔が狭くなっており、シャフト４２の回動は規制され、スライド移動のみが可能となる。
【００６６】
中間領域４５ｂにおいては、下側プレート部４７が、前方に向かうにつれて上下方向における上側プレート部４６との間隔Ｗが大きくなるように傾斜する。このため、シャフト４２は、下側プレート部４７に当接するまでの範囲内において回動することができる。
【００６７】
前方側領域４５ａにおいては、上側プレート部４６と下側プレート部４７との上下方向の間隔が広くなっている。前方側領域４５ａにおいても、シャフト４２は、下側プレート部４７に当接するまでの範囲において、回動することができる。前方側領域４５ａにおいては、中間領域４５ｂよりも上側プレート部４６と下側プレート部４７との上下方向における間隔が広くなっており、回動範囲が広くなる。
【００６８】
下側プレート部４７にシャフト４２が当接して、シャフト４２の回動が規制されることにより、引出扉４の回動が規制される。
【００６９】
図８は、本実施の形態に係る冷蔵庫において、引出扉が引き出される前の状態を示す断面図である。図９は、本実施の形態に係る冷蔵庫において、引出扉の引出動作のみが終了した状態を示す断面図である。図１０は、本実施の形態に係る冷蔵庫において、引出扉の引出動作と回動動作とが終了した状態を示す断面図である。図８から図９を参照して、引出扉４の引出動作および回動動作について説明する。
【００７０】
図８に示すように、引出扉４が引き出される前の状態においては、収容室６の前面開口６ａは、引出扉４によって塞がれている。この状態において、収容ケース１０は、収容室６内に収容されている。シャフト４２は、後方側領域４５ｃに位置する。
【００７１】
この状態から、引出扉４を前方側にスライド移動させることにより、引出扉４が引き出される。上述のように、後方側領域４５ｃにおいては、シャフト４２はスライド移動のみ可能となっている。前後方向における後方側領域４５ｃの長さを、前後方向に平行な引出扉４の厚さよりも大きくすることにより、引出扉４の厚み分だけ引出扉４が前方側に引き出された後に、引出扉４の回動が可能となる。これにより、回動の際に、引出扉４が他の扉３，引出扉５に干渉することを防止できる。
【００７２】
上述のように、シャフト４２が中間領域４５ｂおよび前方側領域４５ａに位置する場合に引出扉４の回動が可能となるが、本実施の形態においては、引出扉４が引出終了位置に到達するまでの間、引出扉４を回動させない場合を例示する。すなわち、引出扉４は、シャフト４２の位置が同一の高さ位置となるように引出終了位置まで引き出される。
【００７３】
図９に示すように、引出扉４の引出動作のみが終了した状態においては、収容室６の前面開口６ａは、開放されており、収容ケース１０の大部分が前面開口６ａから突出する。シャフト４２は、前方側領域４５ａに位置する。
【００７４】
次に、引出扉４を前方側に回動させる。この引出扉４の回動動作に応じて、上述の収容ケース移動機構が収容ケース１０を前方側へ押し出していく。また、引出扉４の回動動作に連動して、シャフト４２も前方側へ回動する。シャフト４２が前方側に回動することにより、シャフト４２の高さ位置は低くなっていく。
【００７５】
図１０に示すように、引出扉４の引出動作および回動動作が終了した状態においては、収容ケース１０のほぼ全てが前面開口６ａから突出する。なお、収容ケース１０の全てが前面開口６ａから突出するように構成されてもよい。シャフト４２は、下側プレート部４７に当接しており、これにより、引出扉４の前方側への回動が規制されている。
【００７６】
収容ケース１０のほぼ全てが前面開口６ａから突出することにより、収容ケース１０からの収容物の取り出しおよび収容ケースへの収容を容易に行なうことができる。また、引出扉４が前方側に回動していることにより、引出扉４の上端の高さ位置が低くなっている。これにより、引出扉４の前方側から収容物の取り出しおよび収容ケースへの収納も容易に行なうことができる。さらに、引出扉４の回動動作および引出動作が終了した状態において、収容ケース１０が一対のフレーム２１に対して着脱可能となることにより、収容ケース１０を取り出すことができる。これにより、収容ケース１０内および収容室６内の清掃やメンテナンス等を容易に行なうことができる。
【００７７】
以上のように、本実施の形態に係る引出装置１００にあっては、一対のフレーム２１と、一対の引出レール２８とによって引出扉４を引出可能に構成するとともに、引出扉４を一対のフレーム２１の前端側に回動可能に接続し、収容ケース移動機構によって引出扉４の回動動作に応じて収容ケース１０を前後方向に移動させる構成とすることにより、複数のレールを用いて引出扉を多段階で引き出すことなく、収容ケース１０をさらに前方側に引き出すことができる。
【００７８】
収容ケース１０がさらに前方側に引き出されることにより、収容ケース１０への収容および収容ケース１０からの取り出しを容易に行なうことができ、利便性が向上する。
【００７９】
また、複数のレールが多段階に引き出さる構成が不要となるため、引出機構を簡易に構成することができる。
【００８０】
（実施の形態２）
図１１および図１２は、本実施の形態に係る引出扉が回動する前の状態および引出扉が回動した後の状態における引出扉側に設けられた冷蔵庫の引出装置の構成要素を示す斜視図である。図１１および図１２を参照して、本実施の形態に係る冷蔵庫１Ａについて説明する。
【００８１】
図１１および図１２に示すように、本実施の形態に係る冷蔵庫１Ａは、実施の形態１に係る冷蔵庫１と比較した場合に、引出装置１００Ａの構成が相違する。その他の構成は、ほぼ同様である。
【００８２】
引出装置１００Ａは、実施の形態１に係る引出装置１００と比較した場合に、収納ポケット６０がさらに設けられている点において相違する。その他の構成については、ほぼ同様である。
【００８３】
収納ポケット６０は、引出扉４の後面４ｂに設けられている。収納ポケット６０は、引出扉４の回動の際に、収容ケース１０に干渉しない位置に設けられている。
【００８４】
具体的には、図１１に示すように、引出扉４が前方側へ回動していない状態においては、収納ポケット６０は、収容ケース１０の上方に位置する。図１２に示すように、引出扉４が前方側へ回動した状態においては、収納ポケット６０は、収容ケース１０の前方に位置する。
【００８５】
図１３は、本実施の形態に係る冷蔵庫の引出装置において、引出扉が引き出される前の状態を示す断面図である。図１４は、本実施の形態に係る冷蔵庫の引出装置において、引出扉の引出動作と回動動作とが終了した状態を示す断面図である。図１３および図１４を参照して、引出扉４の引出動作および回動動作について説明する。
【００８６】
図１３に示すように、引出扉４が引き出される前の状態においては、収容室６の前面開口６ａは、引出扉４によって塞がれている。この状態において、収容ケース１０は、収容室６内に収容されている。収納ポケット６０は、収容ケース１０の上方に位置する。シャフト４２は、後方側領域４５ｃに位置する。
【００８７】
本実施の形態に係る冷蔵庫の引出装置１００Ａにおいても、実施の形態１に係る引出動作および回動動作に準じて、引出扉４の引出動作および回動動作が行われる。
【００８８】
図１４に示すように、引出扉４の引出動作および回動動作が終了した状態においては、収容ケース１０のほぼ全てが前面開口６ａから突出している。また、収納ポケット６０は、引出扉４と一体となって回動しており、収容ケース１０の前方側に移動している。
【００８９】
本実施の形態においても、一対のフレーム２１と、一対の引出レール２８とによって引出扉４を引出可能に構成するとともに、引出扉４を一対のフレーム２１の前端側に回動可能に接続し、収容ケース移動機構によって引出扉４の回動動作に応じて収容ケース１０を前後方向に移動させる構成とすることにより、実施の形態１に係る引出装置１００とほぼ同等の効果が得られる。
【００９０】
さらに、本実施の形態においては、収容ケース１０に干渉しないように、収納ポケット６０を設けることにより、小さいものや、使用頻度の高いもの等を収納ポケット６０に収容することができ、効率よく貯蔵物の収納を行なうことができる。また、引出扉４の前方側への回動が規制された状態において、収納ポケット６０が収容ケース１０の前方側に位置することにより、収容ケース１０の前方側に貯蔵物を容易に収容することができるとともに、収容ケース１０の前方側から貯蔵物を容易に取り出すことができる。
【００９１】
（実施の形態３）
図１５は、本実施の形態に係る冷蔵庫の引出装置において、冷蔵庫室内側に設けられた構成要素を示す部分断面図である。図１５を参照して、本実施の形態に係る冷蔵庫１Ｂについて説明する。
【００９２】
図１５に示すように、本実施の形態に係る冷蔵庫１Ｂは、実施の形態２に係る冷蔵庫１Ａと比較した場合に、引出装置１００Ｂの構成が相違する。その他の構成は、ほぼ同様である。
【００９３】
引出装置１００Ｂは、実施の形態２に係る引出装置１００Ａと比較した場合に、一対のシャフト移動範囲制限部４５Ｂの構成が相違する。その他の構成については、ほぼ同様である。
【００９４】
一対のシャフト移動範囲制限部４５Ｂは、実施の形態２に係る一対のシャフト移動範囲制限部４５と比較した場合に、上側プレート部４６Ｂおよび下側プレート部４７Ｂとが、後方側領域４５ｃから前方側領域４５ａにかけて略一定の距離を保った状態で互いに並行して延在している点において相違する。
【００９５】
上側プレート部４６Ｂおよび下側プレート部４７Ｂは、後方側領域４５ｃにおいて前後方向に直線状に延在する。上側プレート部４６Ｂおよび下側プレート部４７Ｂは、中間領域４５ｂにおいて前方に向かうにつれて下方に向かうように傾斜する。上側プレート部４６Ｂおよび下側プレート部４７Ｂは、前方側領域４５ａにおいて後方側領域４５ｃよりも下方で前後方向に延在する。
【００９６】
後方側領域４５ｃにおいては、上側プレート部４６と下側プレート部４７との上下方向の間隔が狭くなっており、シャフト４２の回動は規制され、スライド移動のみが可能となる。
【００９７】
中間領域４５ｂにおいては、上側プレート部４６Ｂおよび下側プレート部４７Ｂが、一定の距離を保った状態で傾斜することにより、引出扉４が前方側に引き出されるにつれて、シャフト４２の高さ位置が低くなっていく。これにより、シャフト４２の回動が案内される。中間領域４５ｂに設けられた上側プレート部４６Ｂおよび下側プレート部４７Ｂの傾斜部は、シャフト４２の回動を案内する回動案内部に相当する。
【００９８】
前方側領域４５ａにおいては、上側プレート部４６Ｂおよび下側プレート部４７Ｂが狭い間隔を保った状態で直線状に延在するため、シャフト４２の回動は規制され、スライド移動のみが可能となる。
【００９９】
図１６は、本実施の形態に係る冷蔵庫において、引出扉が引き出される前の状態を示す断面図である。図１７は、本実施の形態に係る冷蔵庫において、引出扉の引出動作の途中状態を示す断面図である。図１８は、本実施の形態に係る冷蔵庫において、引出扉の引出動作と回動動作とが終了した状態を示す断面図である。図１６から図１８を参照して、引出扉４の引出動作および回動動作について説明する。
【０１００】
図１６に示すように、引出扉４が引き出される前の状態においては、収容室６の前面開口６ａは、引出扉４によって塞がれている。この状態において、収容ケース１０は、収容室６内に収容されている。シャフト４２は、後方側領域４５ｃに位置する。
【０１０１】
この状態から、引出扉４を前方側に移動させることにより、シャフト４２が上側プレート部４６Ｂおよび下側プレート部４７Ｂに沿って前方側に移動する。シャフト４２が、後方側領域４５ｃを移動する間は、その回動が規制され、引出扉４は、スライド移動のみが可能となる。シャフト４２が中間領域４５ｂに到達すると、前方に向かうにつれてシャフト４２の高さ位置が低くなる。これにより、シャフト４２の回動が案内され、引出扉４が前方に引き出されつつ、前方に回動する。
【０１０２】
図１７に示すように、引出扉４の引出動作の途中状態においては、たとえば、シャフト４２が中間領域４５ｂの略中央に位置する。この状態においては、収容室６の前面開口６ａは、開放されており、収容ケース１０の前方側の一部が前面開口６ａから突出している。また、引出扉４は、所定の角度で前方側に回動している。
【０１０３】
さらに、引出扉４を前方側に引き出すことにより、引出扉４がより前方側へ回動する。前方側領域４５ａにおいては、下側プレート部４７Ｂは、前後方向に延在しているため、シャフト４２の高さ位置は、一定に維持される。これにより、前方側領域４５ａでは、引出扉４は、前方側への回動が規制された状態で前方にスライド移動する。
【０１０４】
図１８に示すように、引出扉４の引出動作および回動動作が終了した状態においては、収容ケース１０のほぼ全てが前面開口６ａから突出している。また、収納ポケット６０は、引出扉４と一体となって回動しており、収容ケース１０の前方側に移動している。
【０１０５】
以上のように、本実施の形態にあっても、一対のフレーム２１と、一対の引出レール２８とによって引出扉４を引出可能に構成するとともに、引出扉４を一対のフレーム２１の前端側に回動可能に接続し、収容ケース移動機構によって引出扉４の回動動作に応じて収容ケース１０を前後方向に移動させる構成とすることにより、複数のレールを用いて引出扉を多段階で引き出すことなく、収容ケース１０をさらに前方側に引き出すことができる。
【０１０６】
さらに、上側プレート部４６Ｂと下側プレート部４７Ｂとを後方側領域４５ｃから前方側領域４５ａにかけて略一定の距離を保った状態で互いに並行して延在し、中間領域４５ｂにおいて、シャフト４２の回動を案内する回動案内部を設けることにより、引出扉４の引出動作が完了するまでに自動的に引出扉４が回動する。これにより、さらに利便性を向上させることができる。
【０１０７】
上述した実施の形態１および２においては、シャフト４２が前方側領域４５ａ内に到達し、引出動作が終了した状態で、引出扉４が回動される場合を例示して説明したが、これに限定されず、引出動作が終了する前に引出扉４の回動を開始してもよい。たとえば、中間領域４５ｂまたは、前方側領域４５ａの後方側にて引出扉４の回動を開始してもよい。この場合には、引出扉４の回動動作と引出動作とが同時に行なわれてもよい。
【０１０８】
上述した実施の形態１から３においては、収容ケース移動機構が、回動可能に構成されたピン１６と、収容ケース１０に設けられた溝部１２によって構成される場合を例示して説明したが、これに限定されない。たとえば、収容ケース移動機構が、回動機構５０によって構成されていてもよい。この場合には、シャフト４２が前方側に回動する際に、収容ケース１０の後方がシャフト４２によって前方側に押し込まれる。
【０１０９】
上述した実施の形態１から３においては、収容ケース移動機構を構成する係合部が一対のフレーム２１の内表面から内側に突出するように設けられるとともに回動可能に設けられたピン１６であり、収容ケース移動機構を構成する被係合部が収容ケース１０に設けられた溝部１２である場合を例示して説明したが、これに限定されない。上記係合部が、第２プレート部３３に設けられた溝であり、被係合部が、上記溝部に着脱可能に嵌り込むように収容ケース１０に設けられた突出部であってもよい。この場合には、第２プレート部３３に設けられた溝は、上方に開口するように設けられることが好ましく、上記突出部は、溝の上方側から溝に嵌り込むことが好ましい。
【０１１０】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０１１１】
１，１Ａ，１Ｂ  冷蔵庫、２  断熱箱体、３  扉、４，５  引出扉、４ｂ  後面、６  収容室、６ａ  前面開口、６ｂ  後方側壁部、６ｃ  左側内壁面、６ｄ  右側内壁面、７  仕切部、１０  収容ケース、１２  溝部、１３  フランジ部、１５  固定ピン、１６  ピン、２０  引出機構、２１  フレーム、２１ａ  前端、２１ｂ  後端、２２  上端側平坦部、２３  下端側平坦部、２４  プレート部、２５  可動ローラ、２７  案内穴、２８  引出レール、２９  キャビネットローラ、３０  接続部、３１  接続プレート、３２  第１プレート部、３３  第２プレート部、４０  回動範囲制限部、４１  シャフト支持部、４２  シャフト、４３  回動力伝達部、４５，４５Ｂ  シャフト移動範囲制限部、４５ａ  前方側領域、４５ｂ  中間領域、４５ｃ  後方側領域、４６，４６Ｂ  上側プレート部、４７，４７Ｂ  下側プレート部、５０  回動機構、６０  収納ポケット、７０  収容ケース移動機構、１００，１００Ａ，１００Ｂ  引出装置。
【図１】
0006516601.tif 000002
【図２】
0006516601.tif 000003
【図３】
0006516601.tif 000004
【図４】
0006516601.tif 000005
【図５】
0006516601.tif 000006
【図６】
0006516601.tif 000007
【図７】
0006516601.tif 000008
【図８】
0006516601.tif 000009
【図９】
0006516601.tif 000010
【図１０】
0006516601.tif 000011
【図１１】
0006516601.tif 000012
【図１２】
0006516601.tif 000013
【図１３】
0006516601.tif 000014
【図１４】
0006516601.tif 000015
【図１５】
0006516601.tif 000016
【図１６】
0006516601.tif 000017
【図１７】
0006516601.tif 000018
【図１８】
0006516601.tif 000019